(57)【特許請求の範囲】
【請求項１】
ＥＭＩシールドアセンブリであって、
対向する端部の間で縦方向に延びる対向する側面を有する非金属糸のニット壁と、
前記非金属糸の複数のループによって前記壁に固定された少なくとも１つのワイヤとを備え、
前記少なくとも１つのワイヤは接地源との操作可能な接続のためにそれぞれの前記対向する側面を超えて延びる、ＥＭＩシールドアセンブリ。
【請求項２】
前記ワイヤは、前記ワイヤの複数の個別の束を形成する複数の前記ワイヤを含み、それぞれの前記束は互いに概ね平行に延び、前記束は互いに縦方向に離間する、請求項１に記載のＥＭＩシールドアセンブリ。
【請求項３】
所定の幅Ｗを有するギャップは、隣接する前記束の間に延び、前記ギャップは前記壁との相対運動に対して前記束を固定する前記ループによって維持される、請求項２に記載のＥＭＩシールドアセンブリ。
【請求項４】
前記少なくとも１つのワイヤは撚られる、請求項１に記載のＥＭＩシールドアセンブリ。
【請求項５】
前記少なくとも１つのワイヤは編まれる、請求項１に記載のＥＭＩシールドアセンブリ。
【請求項６】
前記少なくとも１つのワイヤは絶縁される、請求項１に記載のＥＭＩシールドアセンブリ。
【請求項７】
前記ワイヤは複数の自由端部および前記自由端部の間で縦方向に延びて前記非金属糸の前記ループの間に配置される少なくとも１つの曲げ部を含む、請求項１に記載のＥＭＩシールドアセンブリ。
【請求項８】
前記壁は２以上の種類のニットパターンで形成される、請求項１に記載のＥＭＩシールドアセンブリ。
【請求項９】
前記壁は前記壁の前記対向する側面に隣接する複数の前記非金属糸の端目を含む、請求項１に記載のＥＭＩシールドアセンブリ。
【請求項１０】
前記ワイヤは複数の自由端部を含み、前記アセンブリはそれぞれの前記自由端部に操作可能に取り付けられる導電ブラケットをさらに含む、請求項１に記載のＥＭＩシールドアセンブリ。
【請求項１１】
ＥＭＩシールドアセンブリの構築方法であって、
壁を含む本体を形成するために１またはそれ以上の非金属糸を互いに編みつつ、対向する端部の間で縦方向に互いに概ね平行に延びる対向する側面を有する前記壁内に少なくとも１つのワイヤを備え付けるステップと、
前記ワイヤの周りに前記非金属糸のニットループを形成して前記ループで所定の位置にワイヤを捕捉し、前記ワイヤは前記非金属糸に対しておよび他のワイヤに対して固定されるステップとを備える、方法。
【請求項１２】
壁を含む本体を形成するために１またはそれ以上の非金属糸を互いに編みつつ、対向する端部の間で縦方向に互いに概ね平行に延びる対向する側面を有する前記壁内に少なくとも１つのワイヤを備え付ける前記ステップは、１またはそれ以上の非金属糸を経編みしつつ、前記少なくとも１つのワイヤを前記壁内に緯糸方向に沿って備え付けると、さらに規定される、請求項１１に記載の方法。
【請求項１３】
前記壁の前記対向する側面を超えて延びる前記ワイヤの複数の露出した自由端部を提供することをさらに含む、請求項１１に記載の方法。
【請求項１４】
前記自由端部を少なくとも１つの導電ブラケットに接続することをさらに含む、請求項１３に記載の方法。
【請求項１５】
前記ワイヤの複数の露出した自由端部を提供することを、前記ワイヤの自由端部を露出させるために前記対向する側面において前記非金属糸の前記壁を切断することをさらに規定する、請求項１３に記載の方法。
【請求項１６】
前記ワイヤは複数のワイヤであり、前記方法は少なくとも１つの前記ワイヤの個別の束を形成することをさらに含む、請求項１１に記載の方法。
【請求項１７】
前記少なくとも１つのワイヤは撚られる、請求項１１に記載の方法。
【請求項１８】
前記壁の前記本体の前記対向する側面を完成するために前記非金属糸で端縫いを形成することをさらに含む、請求項１１に記載の方法。
【請求項１９】
前記ワイヤの一部を曲げ、前記壁の前記非金属糸の前記ループの間でこの曲げた部分を捕捉することをさらに含む、請求項１１に記載の方法。
【請求項２０】
前記壁内に少なくとも１つのワイヤを備え付ける前記ステップは隣接するワイヤの間に延びるギャップを作り出し、前記ギャップを前記ワイヤ間の所定の位置に維持するとさらに規定される、請求項１１に記載の方法。
【発明の詳細な説明】
【技術分野】
【０００１】
関連出願の相互参照
本願は、２０１４年６月１１日に提出された米国仮出願整理番号６２／０１０，９１０、および２０１５年３月１０日に提出された米国特許出願整理番号１４／６４３，６３８の利益を主張し、それらの全体をここに引用により援用する。
【０００２】
発明の背景
１．発明の分野
本発明は概ね電磁妨害シールドに関し、より具体的には布地の電磁妨害シールドに関する。
【背景技術】
【０００３】
２．関連技術
図１に示されたような、電磁妨害（ＥＭＩ）シールド１を完全にワイヤから組み立てることは公知である。編むには硬すぎるワイヤは概ねＥＭＩが通じる通路を防止するための所定のメッシュサイズのメッシュを形成するよう織られ、これによりＥＭＩに対するバリアまたはシールドとしての役割を果たす。
【０００４】
織られたワイヤＥＭＩシールドの製造は単純なプロセスではない。そのような織られたＥＭＩシールドに典型的に採用される金属ワイヤ素材は極めて固くこれは織るには概ね困難な素材を与える。均一のメッシュサイズが達成されることを確実にするためにはプロセスを制御する特別な注意がとられなければならず、これはそのような製品を製造するコストと複雑性を増す。均一の特性を有するＥＭＩシールドを製造するためにメッシュサイズを制御することとメッシュサイズはシールド内でＥＭＩの伝達を許容する大きさであってはならない事を明らかにすることが重要である。商業的に使用可能な製品を得るための場所で慎重な制御が適切になされなければならない。
【０００５】
製造の困難性とは別に、織られたワイヤＥＭＩシールドのさらなる欠点は使用状態における頑強性である。初めて組み込まれた際、メッシュサイズは製造されたままの均一の状態にあるＥＭＩの遮断に効果的であるよう望ましく存在する。しかしながら、そのようなシールドの織られた性質によりワイヤの相対位置は組み込み中または時間の経過にわたるかのいずれかにより、いくつかのワイヤは押されて互いに緊密になる一方でその他はさらに離れるよう引かれてしまうよう移動を生じてしまうことが知られている。メッシュサイズにおけるそのような変化は製品ごとに、あるいはある製品のメッシュ領域内においてさえ一貫しない性能を生じるため望ましくない。さらに、ワイヤが（局部的にまたはより大きな領域にわたって）メッシュサイズを増すよう離れて移動するケースでは、大きくなった隙間内のＥＭＩシールドの通過を許容してしまい非常に望ましくない。
【発明の概要】
【発明が解決しようとする課題】
【０００６】
発明の概要
本発明の一態様によれば、ニットＥＭＩシールドが提供される。ニットＥＭＩシールドはニット非金属糸の壁および少なくとも１つの挿入ワイヤを含む。ニット非金属糸は挿入ワイヤを「挿入されたままの」位置に維持するために挿入ワイヤの周りにループされて、これにより挿入ワイヤを非金属糸に対しておよびそれ自体に対しておよび／または他の挿入ワイヤに対して固定する。したがって、挿入ワイヤは非金属糸のニットループから移動することが防止され、これにより挿入ワイヤをその最適なＥＭＩ遮断位置に維持する。
【課題を解決するための手段】
【０００７】
本発明の他の態様によれば、挿入ワイヤはニット非金属糸の壁の対向する側面を超えて延び、電気接地源と操作可能な接続のためのワイヤの自由端部の露出をもたらす。
【０００８】
本発明の他の態様によれば、ニット非金属糸の壁は経編みである。
本発明の他の態様によれば、ワイヤは互いに一列に並んだ複数のワイヤを含む束で挿入され、個々の束は互いに平行に延びる。
【０００９】
本発明の他の態様によれば、ニットＥＭＩシールドは衝突衝撃の保護および機械的な保護をもたらす。
【００１０】
本発明の他の態様によれば、ＥＭＩシールドアセンブリの製造方法が提供される。方法は対向する端部の間で互いに縦方向に概ね平行に延びる対向する側面を有する壁を含む本体を形成するために１またはそれ以上の非金属糸を最初に編むことを含む。方法は壁内に少なくとも１つのワイヤを備え付けるステップに進む。次のステップはワイヤの周りに非金属糸のニットループを形成することである。方法はさらにワイヤをループにより所定位置に捕捉するステップを含み、ワイヤは非金属糸に対しておよび他のワイヤに対して固定される。
【００１１】
本発明のこれらの態様、特徴および利点は現在の好ましい実施形態および最善の形態の以下の詳細な説明、付加された請求項および添付図面により容易に明らかになるであろう。
【図面の簡単な説明】
【００１２】
【図１】複数のワイヤ束にわたって配置されて示された従来技術によって構築された織られたＥＭＩシールドである。
【図２】本発明の一実施形態によって構築された織られたＥＭＩシールドである。
【図３】図２のＥＭＩシールドの部分正面平面図である。
【図４】図２のＥＭＩシールドの拡大部分背面平面図である。
【図５】図３のＥＭＩシールドの拡大部分正面平面図である。
【図６】ある実施形態のＥＭＩシールドを構築するステップを図示するフローチャートである。
【発明を実施するための形態】
【００１３】
現在好ましい実施形態の詳細な説明
図面をより詳細に参照して、図２は本発明の実施形態によって構築された電磁妨害（ＥＭＩ）シールドアセンブリを図示する。ＥＭＩシールドアセンブリ２０は、ＥＭＩが伝導体またはケーブルさらに伝導体またはケーブル付近の電気装置に対して逆効果を有するのを防止するために伝導体、ケーブルまたは複数の高圧伝導体またはケーブルのようなものを保護するために取り付けのために操作可能である。ＥＭＩシールドアセンブリ２０はまたその内容物に対する衝突衝撃保護および機械的保護をもたらすためによく適合される。
【００１４】
ＥＭＩシールドアセンブリ２０はニット非金属糸２６および少なくとも１つの挿入された金属ワイヤ２８の壁２４を有する本体２２を含む。壁２４は対向する端部３２の間で互いに縦方向に概ね平行に延びる対向する側面３０を有する。ニット非金属糸２６はワイヤ２８を「挿入されたままの」位置に維持するためのループ３４としても参照されるように、表目を介してワイヤ２８の周りにループされ、これによりワイヤ２８を非金属糸２６に対しておよびワイヤそれ自体に対しておよび／または他のワイヤ２８に対して固定する。こうして、ワイヤ２８は非金属糸２６の表目またはループ３４によって移動が防止され（図５）、これにより挿入されたワイヤ２８を、最初に挿入されループ３４を介して固定されるようにその最適なＥＭＩ遮断位置に保持する。
【００１５】
例示的な実施形態のニット非金属糸２６の壁２４は経編みであり、ワイヤ２８はワイヤ２８が壁２４に対して固定されたままであるようその意図した位置にワイヤ２８またはワイヤ群２８をループ３４が捕捉して維持するために経編みの過程中望ましい位置で緯糸方向に沿って挿入される。言い換えれば、ワイヤ２８は緯糸の挿入または備え付け技術を用いて壁２４内に編み込まれる。シマ  セイキ  Ｍｆｇ社によって開発されたＭａｃｈ  ２Ｘのような編み機は非金属糸２６の壁２４を編み、ワイヤ２８を挿入し、ＥＭＩシールドアセンブリ２０を形成するために用いられるかもしれない。仮に経編みであれば、壁２４はトリコット編、ミラニーズ編、ラッシェル編のような、しかしこれらに限定されない任意の種類の経編みを用いて編まれるかもしれない。例示的な実施形態の壁２４はまた壁２４内で非金属糸２６を安定させるための壁２４の対向する側面３０に隣接した非金属糸２６の複数の端目３６を含む（図３および図５）。端目３６は耳縁編み、側端編みおよび増し目（cast-on）端編みのような、しかしこれらに限定されない多くの形態をとることができる。例示的な実施形態の壁２４は経編みであり、ワイヤ２８は緯糸方向に挿入されるけれども、壁２４は代わりにたとえば緯編みでワイヤ２８はその後経方向に挿入され得ることも可能であることが理解されるべきである。
【００１６】
非金属糸２６は適用例に応じて、仮にＦＲ素材として提供されれば、高温定格は概ね必要ないけれども、例として限定なく、ポリエステル、ナイロン、ポリプロピレン、ポリエチレン、アクリル、コットン、レーヨンおよび以上に述べた素材の防火（ＦＲ）形態などの任意の望ましい糸で提供されることができる。ＦＲ性能に沿って高温定格が望まれるのであれば、いくつかの現在好ましい非導電糸はたとえばｍーアラミド（Ｎｏｍｅｘ、Ｃｏｎｅｘ、Ｋｅｒｍｅｌ）、ｐ−アラミド（Ｋｅｖｌａｒ、Ｔｅａｒｏｎ、Ｔｅｃｈｎｏｒａ）、ＰＥＩ（Ｕｌｔｅｍ）、ＰＰＳおよびＰＥＥＫを含む。
【００１７】
本発明の例示的な実施形態には用いられていないけれども、非金属糸２６の壁２４は、壁２４の特別な輪郭や形状の確立を助けるためにヒートセットされるかもしれない。ヒートセットは壁２４を、ＥＭＩシールドアセンブリ２０が保護または遮蔽する構成要素により良く一致させる。壁２４がヒートセットされる際、非金属糸２６はヒートセット可能なように選ばれるかもしれない。ヒートセットはまたワイヤ２８を「挿入されたままの」位置への維持と、ワイヤの非金属糸２６および／または他のワイヤ２８に対する任意の動きの防止に役立つかもしれない。
【００１８】
例示的な実施形態のワイヤ２８は固形ワイヤであるが、ワイヤは代わりにたとえば撚られていてもよく、編まれていてもよい。固形ワイヤは機械的にはより頑丈ではあるが、撚られていたり編まれたワイヤ２８は、ＥＭＩシールドアセンブリ２０が冗長性をもたらすために屈曲応力を経験したり、ＥＭＩシールドアセンブリ２０がより可撓性を有しなければならない適用例により好適かもしれない。追加的に、それぞれのワイヤ２８はカバーや絶縁その他のコーティングを含むかもしれない。たとえば、それぞれのワイヤ２８は、ＥＭＩシールドアセンブリ２０が厳しい環境で使用されることが意図されている場合腐食防止を意図したコーティングを含み得る。ワイヤ２８へのコーティングはまた腐食の発生の低減の利益を有し、ワイヤ２８が接触する任意の非類似金属とワイヤの電気反応を遅らせあるいは止める非類似金属との分離をもたらし得る。
【００１９】
ワイヤ２８はそれぞれの側面を超えて延びる複数の露出した自由端部３８をもたらすために壁２４の対向する側面３０を超えて延びるよう示される。自由端部３８は電気接地源と操作可能な接続のために適合される。電気接地源への付着を促進するために金属ブラケット４０のような導電ブラケットはそれぞれの露出した自由端部３８に、それぞれの金属ブラケット４０がＥＭＩシールドアセンブリ２０が付着される部材内の関連する固定容器と並ぶよう構成された固定開口部４２を介するなどにより電気接地源への取り付けの準備に適合されて、電気通信状態で露出した自由端部３８に操作可能に取り付けられる。図５に最もよく示されるように、ワイヤ２８は、ワイヤ２８の個別の束４４をもたらすよう挿入されて、それぞれの束４４は互いに並んで配置された複数のワイヤ２８またはワイヤ２８のセグメントを有する。個別の束４４は、隣接する束４４との間に所定の幅ｗを有するギャップ４６を有して互いに平行に延びる。それぞれのギャップ４６の幅ｗは、壁２４に対する相対運動に対して束４４を固定するループ３４により製造、組立および使用中にそのサイズが維持される。そのように、束４４はＥＭＩに対して連続的な保護をもたらすことが保証される。
【００２０】
図４および５に図示されるように、本発明の例示的な実施形態のワイヤ２８はそれぞれ、非金属糸２６の端目３６の隣接するうねの間に縦方向に延びる自由端部３８の間に少なくとも１つの曲げ部４８を含む。こうして、それぞれのワイヤ２８は前記壁２４の側面３０の間の横方向に動きが防止されるよう捕捉される。ループ３４それ自体は曲げ部４８なしで壁２４に対するワイヤ２８の縦方向の配置の確立および維持を助ける一方で、ワイヤ２８はその「挿入されたままの」位置から横方向への摺動が許容されるかもしれない。いくつかの適用例において、これはワイヤ２８の横方向の調整を許容するなどで望ましいかもしれず、それゆえ他の実施形態のワイヤ２８は非金属糸２６のループ３４の間に捕捉された曲げ部４８を含まないかもしれないことが理解されるべきである。非金属糸２６のループ３４を形成する編みコースは壁２４のその余と同じ種類の表目で形成されるかもしれず、異なる表目で形成されるかもしれない。
【００２１】
図６のフローチャートに図示されるように、ＥＭＩシールドアセンブリ２０の構築方法もまた開示されている。方法は壁２４を含む本体２２を形成するために１またはそれ以上の非金属糸２６を互いに編みつつ対向する端部３２の間で互いに縦方向に概ね平行に延びる対向する側面３０を有する壁２４内に少なくとも１つのワイヤを備え付けるステップ１００を含む。以上に説明されたように、非金属糸２６の壁２４は経編みであり、それゆえ、例示的な実施形態では、壁２４を含む本体２２を形成するために１またはそれ以上の非金属糸２６を互いに編みつつ対向する端部３２の間で互いに縦方向に概ね平行に延びる対向する側面３０を有する壁２４内に少なくとも１つのワイヤを備え付けるステップ１００はさらに１またはそれ以上の非金属糸２６を経編みしつつ緯糸方向に沿って壁２４内に少なくとも１つのワイヤ２８を備え付けると規定される。次のステップはワイヤ２８の周りに非金属糸２６のニットループ３４を形成し、ループ３４で所定の位置にワイヤ２８を捕捉する１０２であり、ワイヤ２８は非金属糸２６に対しておよび他のワイヤ２８に対して固定される。
【００２２】
例示的な実施形態のＥＭＩシールドアセンブリ２０を構築する方法はさらに壁２４の側面を超えて延びるワイヤ２８の複数の露出した自由端部３８をもたらすステップを含む。例示的な実施形態のワイヤ２８が単純に壁２４の側面を超えて延びる自由端部３８を許容する大きさにされつつ、壁２４は自由端部３８を露出するために第二の操作で切り落とされるかもしれないことが理解されるべきである。結果的に、方法はワイヤ２８の複数の露出した自由端部３８をもたらすステップをワイヤ２８の自由端部３８を露出するために対抗する側面３０において非金属糸２６の壁２４を切断するものと規定するかもしれない。例示的な実施形態のＥＭＩシールドアセンブリ２０の構築方法はまた自由端部３８を少なくとも１つの導電ブラケットに接続するステップを含む。
【００２３】
図４の参照にもどって、例示的な実施形態のＥＭＩシールドアセンブリを構築する方法はワイヤ２８の一部を曲げ、壁２４の非金属糸２６のループ３４の間に曲がった部分を捕捉することを含む。既に説明されたように、例示的な実施形態のワイヤ２８は複数のワイヤ２８の個別の束４４をもたらすために互いに並んだ関係で配置される。それゆえ、方法はまたワイヤ２８の少なくとも１つの個別の束４４を形成するステップを含むかもしれない。さらに、方法は撚られ、または編まれたワイヤ２８を用いるかもしれない。少なくとも１つの実施形態の方法はさらに壁２４の本体２２の対向する側面３０を完成させるために非金属糸２６で端目３６を形成するステップを含むかもしれない。
【００２４】
現在の発明の多くの修正または変形が上記の教示に照らして可能である。それゆえ、本発明は具体的に説明された以外にも実践されるかもしれず、発明の範囲は最終的に許容された請求項によって規定されることが理解されるべきである。
【図１】
0006486969.tif 000002
【図２】
0006486969.tif 000003
【図３】
0006486969.tif 000004
【図４】
0006486969.tif 000005
【図５】
0006486969.tif 000006
【図６】
0006486969.tif 000007